(57)【要約】【課題】デジタル放送の受信電波状況に応じてデジタル音声情報とアナログ音声情報との出力が自動的に切り替えられる場合において、表示部の表示によって、出力されている音声情報がデジタル音声情報であるか、アナログ音声情報であるかを確実かつ容易に判断すること。【解決手段】ＨＤラジオ装置１は、受信された情報がデジタル放送であるか否かを判断する放送判断手段２ｂと、デジタル放送よりデジタル音声情報を抽出できるか否かを判断するデジタル音声抽出判断手段２ｂと、デジタル放送より抽出されたテキスト情報を表示可能な表示手段７と、表示手段７の表示内容制御を行う表示制御手段５と有する。表示制御手段５は、放送判断手段２ｂにより放送がデジタル放送であると判断され、かつ、デジタル音声抽出判断手段２ｂによりデジタル放送よりデジタル音声情報が抽出できると判断された場合にのみ、表示手段７にテキスト情報を表示させる。【選択図】図１
2012028909.tif 000002
【特許請求の範囲】
【請求項１】
受信された放送がデジタル放送であるかアナログ放送であるかを判断する放送判断手段と、
該放送判断手段により前記放送が前記デジタル放送であると判断された場合に、取得された前記デジタル放送に基づいてデジタル音声情報を抽出できるか否かを判断するデジタル音声抽出判断手段と、
前記デジタル放送に基づいてテキスト情報を抽出するテキスト情報抽出手段と、
該テキスト情報抽出手段により抽出された前記テキスト情報を表示可能な表示手段と、
該表示手段に表示させる内容の制御を行う表示制御手段と
を有し、
前記表示制御手段は、
前記放送判断手段により前記放送が前記デジタル放送であると判断され、かつ、前記デジタル音声抽出判断手段により前記デジタル放送に基づいて前記デジタル音声情報が抽出できると判断された場合にのみ、前記表示手段に前記テキスト情報を表示させ、
前記放送判断手段により前記放送が前記デジタル放送でないと判断された場合、あるいは、前記デジタル音声抽出判断手段により前記デジタル放送に基づいて前記デジタル音声情報が抽出できないと判断された場合に、前記表示手段に前記テキスト情報を表示させないこと
を特徴とするＨＤラジオ装置。
【請求項２】
前記表示手段は、所定マークを点灯表示、点滅表示あるいは消灯表示させることが可能であり、
前記表示制御手段は、
前記放送判断手段により前記放送が前記デジタル放送でないと判断された場合に、前記所定マークを前記表示手段に消灯表示させ、
前記放送判断手段により前記放送が前記デジタル放送であると判断され、かつ、前記デジタル音声抽出判断手段により前記デジタル放送に基づいて前記デジタル音声情報が抽出できないと判断された場合に、前記所定マークを前記表示手段に点滅表示させ、
前記放送判断手段により前記放送が前記デジタル放送であると判断され、かつ、前記デジタル音声抽出判断手段により前記デジタル放送に基づいて前記デジタル音声情報が抽出できると判断された場合に、前記所定マークを前記表示手段に点灯表示させること
を特徴とする請求項１に記載のＨＤラジオ装置。
【発明の詳細な説明】
【技術分野】
【０００１】
本発明はＨＤラジオ装置に関し、より詳細には、デジタル放送あるいはアナログ放送に基づいて出力される音声情報が、デジタル放送の受信状況に応じてデジタル音声情報とアナログ音声情報とに自動的に切り替えられる場合において、受信状況に応じて表示部の表示を適切に切り替えることが可能なＨＤラジオ装置に関する。
【背景技術】
【０００２】
一般的な車両には、運転時にラジオ等を聴くことができるように，車載用のラジオ装置が設置されている。日本国内において放送されるラジオ放送は、一般的なアナログ方式のＡＭ放送、あるいはアナログ方式のＦＭ放送であることが多い。一方で、米国においては、ＡＭ放送やＦＭ放送などの一般的なアナログ方式による放送（以下、アナログ放送という。）だけでなく、アナログ信号と同じ周波数において同時にデジタル信号で放送（以下、デジタル放送という）を行うハイブリッドデジタルラジオ放送（以下、ＨＤ（Hybrid Digital）ラジオ放送という）が実用化されている。また、ＨＤラジオ放送を受信するためのＨＤラジオ装置を、車室内に設置する車両も増えている（例えば、特許文献１参照）。
【０００３】
ＨＤラジオ装置を用いてＨＤラジオ放送を受信する場合、アナログ放送しか受信できない地域においては、アナログ信号によるラジオ放送がＨＤラジオ装置から出力されることになる。しかしながら、アナログ放送だけでなくデジタル放送も受信することが可能な地域においては、ラジオ放送が、自動的にアナログ放送からデジタル放送へと切り替えられる。
【０００４】
このようにして、デジタル放送が受信され難い地域においては、従来通りにアナログ放送を出力することによって、確実にラジオ放送を受信するできる。一方で、デジタル放送を受信することが可能な地域においては、デジタル放送をアナログ放送よりも優先させて受信することにより、明瞭な音声とラジオ番組に関する付加的な情報（放送中の音楽の曲名などの情報）をユーザに提供することが可能となる。
【０００５】
さらに、自動的にアナログ信号とデジタル信号とが切り替えられるので、ユーザはデジタル放送の受信電波状況に応じて手動でアナログ放送とデジタル放送とを切り替える作業を行う必要がない。このため、ユーザは、受信感度に応じたデジタル・アナログ切り替え操作を、ＨＤラジオ装置において行う必要がなくなり、運転に集中することが可能となる。
【先行技術文献】
【特許文献】
【０００６】
【特許文献１】特開２０１０―２８３８６号公報
【発明の概要】
【発明が解決しようとする課題】
【０００７】
ところで、上述したデジタル放送には、デジタル信号による音声情報（以下、デジタル音声情報という）とテキスト情報と含まれている。このため、ＨＤラジオ装置でデジタル放送を受信した場合には、ＨＤラジオ装置の表示部にデジタル放送を受信した旨のアイコンが表示され、また、受信されたテキスト情報の内容（アーティスト名などの情報）が表示される。
【０００８】
しかしながら、デジタル放送が受信し難い状況となると、上述したようにデジタル音声情報は自動的にアナログ信号による音声情報（以下、アナログ音声情報という）に切り替えられるが、ＨＤラジオ装置の表示部に一度表示されたテキスト情報は、アナログ放送に切り替わっても、そのまま表示され続けてしまう場合があった。このため、ユーザは、ＨＤラジオ装置の表示部の表示からは、現在出力されている音声情報がデジタル放送に基づく音声情報（デジタル音声情報）であるのか、アナログ放送に基づく音声情報（アナログ音声情報）であるのかを、容易に判断することができないという問題があった。
【０００９】
本発明は上記問題に鑑みてなされたものであり、デジタル放送あるいはアナログ放送に基づいて出力される音声情報が、デジタル放送の受信電波状況に応じてデジタル音声情報とアナログ音声情報とに自動的に切り替えられ場合において、表示部の表示によって、出力されている音声情報がデジタル音声情報であるか、アナログ音声情報であるかを確実かつ容易に判断することが可能なＨＤラジオ装置を提供することを課題とする。
【課題を解決するための手段】
【００１０】
上記課題を解決するために、本発明に係るＨＤラジオ装置は、受信された放送がデジタル放送であるかアナログ放送であるかを判断する放送判断手段と、該放送判断手段により前記放送が前記デジタル放送であると判断された場合に、取得された前記デジタル放送に基づいてデジタル音声情報を抽出できるか否かを判断するデジタル音声抽出判断手段と、前記デジタル放送に基づいてテキスト情報を抽出するテキスト情報抽出手段と、該テキスト情報抽出手段により抽出された前記テキスト情報を表示可能な表示手段と、該表示手段に表示させる内容の制御を行う表示制御手段とを有し、前記表示制御手段は、前記放送判断手段により前記放送が前記デジタル放送であると判断され、かつ、前記デジタル音声抽出判断手段により前記デジタル放送に基づいて前記デジタル音声情報が抽出できると判断された場合にのみ、前記表示手段に前記テキスト情報を表示させ、前記放送判断手段により前記放送が前記デジタル放送でないと判断された場合、あるいは、前記デジタル音声抽出判断手段により前記デジタル放送に基づいて前記デジタル音声情報が抽出できないと判断された場合に、前記表示手段に前記テキスト情報を表示させないことを特徴とする。
【００１１】
本発明に係るＨＤラジオ装置の表示制御手段は、放送判断手段により放送がデジタル放送に基づくものであると判断され、かつ、デジタル音声抽出判断手段によりデジタル放送に基づいてデジタル音声情報が抽出できると判断された場合にのみ、表示手段にテキスト情報を表示させる。このため、表示手段にテキスト情報が表示される場合には、デジタル音声情報に基づく放送がスピーカなどから出力されることになる。従って、ユーザは、表示手段にテキスト情報が表示されている場合には、出力される放送がデジタル音声情報に基づくものであると確実かつ容易に判断すること可能となる。
【００１２】
一方で、本発明に係るＨＤラジオ装置の表示制御手段は、放送判断手段により放送がデジタル放送でないと判断された場合、あるいは、デジタル音声抽出判断手段によりデジタル放送に基づいてデジタル音声情報が抽出できないと判断された場合に、表示手段にテキスト情報を表示させない。このため、表示手段にテキスト情報が表示されない場合には、デジタル音声情報に基づく放送がスピーカなどから出力されないことになる。従って、ユーザは、表示手段にテキスト情報が表示されない場合には、出力される放送がデジタル音声情報（デジタル放送）に基づくものでない、つまり、アナログ放送に基づくものであると確実かつ容易に判断すること可能となる。
【００１３】
このように、本発明に係るＨＤラジオ装置を用いることにより、ユーザは表示手段にテキスト情報が表示されているか否かにより、出力される放送（例えば音楽など）がデジタル放送に基づくものであるかアナログ放送に基づくものであるかを確実かつ容易に判断することが可能となる。
【００１４】
また、上述したＨＤラジオ装置において、前記表示手段は、所定マークを点灯表示、点滅表示あるいは消灯表示させることが可能であり、前記表示制御手段が、前記放送判断手段により前記放送が前記デジタル放送でないと判断された場合に、前記所定マークを前記表示手段に消灯表示させ、前記放送判断手段により前記放送が前記デジタル放送であると判断され、かつ、前記デジタル音声抽出判断手段により前記デジタル放送に基づいて前記デジタル音声情報が抽出できないと判断された場合に、前記所定マークを前記表示手段に点滅表示させ、前記放送判断手段により前記放送が前記デジタル放送であると判断され、かつ、前記デジタル音声抽出判断手段により前記デジタル放送に基づいて前記デジタル音声情報が抽出できると判断された場合に、前記所定マークを前記表示手段に点灯表示させるものであってもよい。
【００１５】
このように、放送判断手段により放送がデジタル放送でないと判断された場合に、所定マークが表示手段に消灯表示されるので、ユーザは、所定マークが消灯表示されていることを確認することにより、デジタル放送が受信されず、アナログ放送のみが受信されていることを容易に判断することが可能となる。
【００１６】
また、放送判断手段により放送がデジタル放送であると判断され、かつ、デジタル音声抽出判断手段によりデジタル放送に基づいてデジタル音声情報が抽出できないと判断された場合に、所定マークが表示手段に点滅表示されるので、ユーザは、所定マークが点滅表示されていることを確認することによって、デジタル放送が受信可能な状態であるが、デジタル音声情報は抽出することができない受信電波状況であることを容易に判断することが可能となる。
【００１７】
さらに、放送判断手段により放送がデジタル放送であると判断され、かつ、デジタル音声抽出判断手段によりデジタル放送に基づいてデジタル音声情報が抽出できると判断された場合に、所定マークが表示手段に点灯表示されるので、ユーザは、所定マークが点灯表示されていることを確認することにより、デジタル放送が受信され、かつ、デジタル放送に基づいてデジタル音声情報が抽出できる受信電波状況であることを容易に判断することが可能となる。
【発明の効果】
【００１８】
本発明に係るＨＤラジオ装置を用いることにより、ユーザは表示手段にテキスト情報が表示されているか否かにより、出力される放送（例えば音楽など）がデジタル放送に基づくものであるか、アナログ放送に基づくものであるかを確実かつ容易に判断することが可能となる。
【図面の簡単な説明】
【００１９】
【図１】本実施の形態に係る車載用オーディオ装置の概略構成を示したブロック図である。
【図２】本実施の形態に係る車載用オーディオ装置の本体部を示した正面図である。
【図３】本実施の形態に係る制御部の処理内容を示したフローチャートである。
【図４】図３に示したフローチャートによる処理内容を電波状況に応じて時系列的に示した図である。
【発明を実施するための形態】
【００２０】
以下、本発明に係るＨＤラジオ装置を備えた車載用オーディオ装置について、添付図面を参照して説明を行う。
【００２１】
図１は、車載用オーディオ装置の概略構成を示したブロック図である。車載用オーディオ装置１は、ＨＤモジュール部２と、信号処理部３と、スピーカ４と、制御部（表示制御手段）５と、ユーザ入力部６と、表示部（表示手段）７とを有している。
【００２２】
車載用オーディオ装置１において、ＨＤモジュール部２と、信号処理部３と、制御部５とは本体部１０を構成し、車室内のインストルメントパネル中央部などに設置される。本体部１０の正面には、図２に示すように、ユーザ入力部６と表示部７とが設置されている。
【００２３】
ＨＤモジュール部２は、ＨＤラジオ放送（アナログ放送およびデジタル放送の両方の放送）を受信するためのアンテナ２ａと、受信する放送の周波数設定やテキスト情報の抽出処理等を行うチューナー部（放送判断手段、デジタル音声抽出判断手段、テキスト情報抽出手段）２ｂとを有している。アンテナ２ａを介してチューナー部２ｂで受信されたラジオ放送がアナログ放送である場合、チューナー部２ｂは、アナログ信号によるラジオ放送を信号処理部３へ出力する。
【００２４】
一方で、チューナー部２ｂで受信されたラジオ放送がデジタル放送である場合、チューナー部２ｂは、デジタル信号からデジタル音声情報と、テキスト情報とを抽出する。そして、チューナー部２ｂは、デジタル音声情報をアナログ化した後に、オーディオ信号を信号処理部３へ出力する。また、チューナー部２ｂは、制御部５に対して、テキスト情報と、デジタル信号が受信されたか否かの情報（以下、デジタル信号受信情報とする）と、デジタル信号が受信された状態において、デジタル信号からデジタル音声情報を抽出することができたか否かを示す情報（以下、デジタル音声抽出情報とする）とを出力する。
【００２５】
一方で、チューナー部２ｂには、ユーザによって設定された周波数に関する情報（以下、チューニング情報とする）が、制御部５より入力されており、このチューニング情報に応じて、受信するラジオ放送の周波数設定が行われる。
【００２６】
信号処理部３は、チューナー部２ｂより受信したラジオ放送に対して、制御部５より受信する音量設定情報に対応する音量調整処理を施す。そして、信号処理部３は、音量調整が施されたオーディオ信号をスピーカ４へ出力する。
【００２７】
スピーカ４は、車室内に複数個、例えば、左右の前席ドアや左右の後席ドアなどに設けられている。図１では、便宜上、スピーカ４が１つの機能ブロックで示されているが、スピーカ４の設置個数は１つに限定されるものではなく、必要に応じて複数個設置することも可能である。さらに、スピーカ４の設置位置に関しても、ユーザの嗜好や車両メーカー側の音響設定などに応じて様々な位置に設置することが可能である。
【００２８】
図２は、本体部１０の正面図である。本体部１０の正面には、上述したように、ユーザ入力部６と表示部７とが設けられている。
【００２９】
ユーザ入力部６は、ユーザがラジオ放送の番組選択を行う選択ボタン６ａや、音量調節を行うための操作ツマミ６ｂを有している。ユーザは、表示部７の表示内容に応じてユーザ入力部６の操作を行うことにより、所望のラジオ放送の選択を行うことが可能となっている。
【００３０】
表示部７は、ユーザ入力部６で設定されたラジオ放送に関する情報（例えば、予め放送局が選択ボタン６ａにプリセットされている場合には、選択された選択ボタン６ａに対応するラジオ放送の周波数情報）を表示し、さらに、デジタル放送を受信した場合には、デジタル信号から抽出したテキスト情報を表示することが可能となっている。
【００３１】
表示部７に表示される情報は、例えば、ＨＤアイコン（所定マーク）７ａ、周波数情報７ｂ、放送局名情報７ｃ、音楽ジャンル情報７ｄ、マルチキャスト情報７ｅ、アーティスト情報７ｆ、タイトル情報７ｇなどである。
【００３２】
ここで、ＨＤアイコン７ａは、デジタル放送を受信していない場合には消灯（消灯表示）され、デジタル放送が受信可能な状態であるが、デジタル音声情報が確実に受信できていない場合（上述したように、チューナー部２ｂにおいて、デジタル信号受信情報に基づいて受信された信号がデジタル信号であると判断され得るが、デジタル音声抽出情報によって、デジタル信号からデジタル音声情報を抽出することができないと判断された場合）には点滅表示される。さらに、アイコン７ａは、デジタル放送が受信可能な状態であって、さらに、デジタル音声情報が受信できている場合（上述したように、チューナー部２ｂにおいて、デジタル信号受信情報とデジタル音声抽出情報とにより、受信したデジタル信号からデジタル音声情報を抽出することができると判断された場合）に点灯表示される。このようにしてＨＤアイコン７ａの表示態様が変化することにより、ユーザにデジタル放送の受信電波状況を知らせることが可能となっている。
【００３３】
周波数情報７ｂは、ユーザがユーザ入力部６を操作して選択したラジオ放送の周波数を示している。この周波数情報７ｂは、アナログ放送を受信している場合であっても、デジタル放送を受信している場合であっても、常に表示部７に表示される。
【００３４】
放送局名情報７ｃと、音楽ジャンル情報７ｄと、マルチキャスト情報７ｅと、アーティスト情報７ｆと、タイトル情報７ｇとは、上述したテキスト情報として、デジタル信号に含まれる情報である。ＨＤモジュール部２でデジタル信号が受信されると、上述したように、チューナー部２ｂにおいて、デジタル信号からテキスト情報が抽出される。このテキスト情報は、デジタル音声情報に比べて情報量が少ない。このため、デジタル信号からデジタル音声情報を抽出することが困難な受信電波状況であっても、テキスト情報のみを抽出することが可能となる場合が多い。
【００３５】
放送局名情報７ｃは、受信しているラジオ放送の放送局名を示し、音楽ジャンル情報７ｄは、ラジオ放送を発信している放送局における音楽番組のジャンルなどを示している。マルチキャスト情報７ｅとは、同一周波数において聴取することが可能な異なるラジオ放送の種類を示した情報である。ＨＤラジオ放送では、アナログ放送と共通するデジタル放送の放送局を主局とし、異なる放送局をサブ局として、同一周波数でありながら複数のラジオ放送を受信することができる。従って、ユーザは、マルチキャスト情報７ｅにおいて、複数の番号が表示されている場合には、該当する番号を選択することによって、番号に対応した異なるラジオ放送を楽しむことができる。
【００３６】
アーティスト情報７ｆとタイトル情報７ｇとは、放送されている音楽を演奏している（あるいは、歌っている）アーティストの情報と、その音楽（楽曲）のタイトルの情報とを示している。
【００３７】
制御部５は、車載用オーディオ装置１における様々な処理を行っている。制御部５は、ＣＰＵ（Central Processing Unit）５ａと、ＲＯＭ（Read Only Member）５ｂとＲＡＭ（Random Access Memory）５ｃとを有している。ＲＯＭ５ｂには、様々なプログラムや情報が記録されており、ＣＰＵ５ａは、ＲＯＭ５ｂに記録されるプログラムに基づいて後述する処理を行う。ＲＡＭ５ｃは、一時的な作業領域として使用され、処理作業においてデータを一時的に記録する場合などに用いられる。例えば、チューナー部２ｂより受信したテキスト情報などは、ＲＡＭ５ｃに一時的に記録される。
【００３８】
また、ＣＰＵ５ａは、ＲＯＭ５ｂに記録されるプログラムに基づいて様々な処理を行う。具体的に、ＣＰＵ５ａは、ユーザ入力部６より入力されるユーザの設定情報に基づいて、チューナー部２ｂへチューニング情報を出力する処理を行う。また、ＣＰＵ５ａは、チューナー部２ｂより受信したデジタル信号受信情報、デジタル音声抽出情報およびテキスト情報に基づいて、表示部７の表示制御を行う。
【００３９】
図３は、制御部５のＣＰＵ５ａが行う表示部７の表示制御内容を示したフローチャートである。このフローチャートの処理内容を示したプログラムはＲＯＭ５ｂに記録されている。ＣＰＵ５ａは、ＲＯＭ５ｂから図３のフローチャートに対応するプログラムを読み出して、表示制御処理を実行する。
【００４０】
まず、制御部５のＣＰＵ５ａは、ユーザ入力部６においてユーザが設定した周波数に基づいて、チューナー部２ｂへチューニング情報を出力する。チューナー部２ｂでは、制御部５によって出力されたチューニング情報を受信し、受信したチューニング情報に基づいてラジオ放送の周波数設定を行う。
【００４１】
チューナー部２ｂで周波数設定が行われることにより、アンテナ２ａを介して該当する周波数のラジオ放送が受信され、受信された信号が信号処理部３へ出力される。また、チューナー部２ｂでは、受信されたラジオ放送がアナログ信号（アナログ放送）であるかデジタル信号（デジタル放送）であるか否かを判断して、デジタル信号受信情報を制御部５に出力する。また、デジタル信号を受信できた場合であって、テキスト情報を抽出できた場合、チューナー部２ｂは、テキスト情報を制御部５に出力する。さらに、デジタル信号を受信できた場合に、チューナー部２ｂは、デジタル信号に基づいてデジタル音声情報をデジタル信号から抽出ができた否かを示すデジタル音声抽出情報を制御部５へ出力する。
【００４２】
ＣＰＵ５ａでは、チューナー部２ｂよりデジタル信号受信情報を取得し（ステップＳ．１）、チューナー部２ｂにおいてデジタル放送を受信できたか否かを判断する（ステップＳ．２）。デジタル放送を受信できなかった場合（つまり、チューナー部２ｂにおいてアナログ放送だけしか受信できなかった場合、ステップＳ．２においてＮｏの場合）、ＣＰＵ５ａは、表示部７に周波数情報７ｂだけを表示させ、他の情報（ＨＤアイコン７ａ、放送局名情報７ｃ、音楽ジャンル情報７ｄ、マルチキャスト情報７ｅ、アーティスト情報７ｆ、タイトル情報７ｇ）を表示部７に表示させない（もし、既に表示されている場合には消去する）（ステップＳ．３）。そして、上述したデジタル信号受信情報の受信処理（ステップＳ．１）を繰り返し実行する。
【００４３】
一方で、デジタル放送を受信できた場合（ステップＳ．２においてＹｅｓの場合）、ＣＰＵ５ａは、チューナー部２ｂよりテキスト情報を取得して、ＲＡＭ５ｃに一時的に記録する（ステップＳ．４）。
【００４４】
そして、ＣＰＵ５ａは、チューナー部２ｂよりデジタル音声抽出情報を取得し（ステップＳ．５）、オーディオ信号受信情報に基づいて、デジタル信号からデジタル音声情報を抽出できたか否かの判断を行う（ステップＳ．６）。デジタル音声情報を抽出できなかった場合（ステップＳ．６においてＮｏの場合）、ＣＰＵ５ａは、表示部７にＨＤアイコン７ａを点滅表示させると共に、周波数情報７ｂを表示させ、他の情報（放送局名情報７ｃ、音楽ジャンル情報７ｄ、マルチキャスト情報７ｅ、アーティスト情報７ｆ、タイトル情報７ｇ）を表示部７に表示させない（もし、既に表示されている場合には消去する）（ステップＳ．７）。そして、上述したデジタル信号受信情報の受信処理（ステップＳ．１）を繰り返し実行する。
【００４５】
一方で、デジタル音声情報を抽出できた場合（ステップＳ．６においてＹｅｓの場合）、ＣＰＵ５ａは、ＲＡＭ５ｃよりテキスト情報を読み出す（ステップＳ．８）。その後、ＣＰＵ５ａは、ＨＤアイコン７ａを表示部７に点灯表示させ、周波数情報７ｂを表示させると共に、テキスト情報に基づいて取得した情報である放送局名情報７ｃ、音楽ジャンル情報７ｄ、マルチキャスト情報７ｅ、アーティスト情報７ｆ、タイトル情報７ｇを表示部７に表示させる（ステップＳ．９）。そして、上述したデジタル信号受信情報の受信処理（ステップＳ．１）を繰り返し実行する。
【００４６】
上述した処理（ステップＳ．１〜ステップＳ．９）は、ユーザによりＨＤラジオの受信がＯＦＦされた場合などにおいて、何らかの割り込み処理が行われることにより、処理を終了する構成となっている。
【００４７】
図４は、デジタル放送およびアナログ放送の受信電波の変化を時系的に示した図である。この図において、デジタル信号受信情報に基づくデジタル放送の受信有無、デジタル音声抽出情報に基づくデジタル音声情報の抽出有無、ＨＤアイコン７ａの表示状態、およびスピーカ４から出力される音楽（オーディオ信号）の種類（アナログ放送に基づくオーディオ信号かデジタル放送（デジタル音声情報）に基づくオーディオ信号か）を示し、さらに、それぞれの状況における表示部７の表示状態を示している。
【００４８】
まず、ＨＤモジュール部２においてアナログ放送だけが受信され、デジタル放送が受信できない状況（図４に示すＡ区間（矢印区間））では、デジタル放送を受信できない。このため、デジタル信号受信情報により判断されるデジタル信号の受信状況は「無」の状態となり、また、デジタル音声抽出情報による判断はデジタル音声情報が抽出できない「無」の状態となる。さらに、デジタル放送を受信できないため、ＨＤアイコン７ａが「消灯」状態となり、スピーカ４から出力されるオーディオ信号も「アナログ（アナログ放送に基づくオーディオ信号）」となる。
【００４９】
このＡ区間の状態は、上述した図３のフローチャートにおいて、デジタル放送が受信できないと判断され（ステップＳ．２においてＮｏの場合）、表示部７に周波数情報７ｂのみが表示され、他の情報が表示されない状態（ステップＳ．３）を示している。
【００５０】
図４に示すＢ区間は、Ａ区間に示す状況から受信電波状況が少し改善されて、デジタル放送を受信することは可能であるが、デジタル音声情報を抽出することができない状態へと電波状況が変化した状態を示している。Ｂ区間の状態では、デジタル放送を受信することは可能であるため、デジタル信号の受信状況は「有」の状態となる。一方で、Ｂ区間では、デジタル音声情報の抽出ができない状況であるため、デジタル音声抽出情報により判断されるデジタル音声情報の抽出状況は「無」の状態となる。また、ＨＤアイコン７ａの表示は、デジタル放送が受信可能であるため、消灯表示状態から点滅表示状態へと変化するが、デジタル音声情報の抽出状況が「無」の状態であることから、点灯表示状態には変化せず、点滅表示状態を維持することになる。また、デジタル音声情報を抽出することができないことから、スピーカ４から出力されるオーディオ信号は「アナログ」となる。
【００５１】
このＢ区間の状態は、上述した図３のフローチャートにおいて、デジタル放送が受信できると判断された（ステップＳ．２においてＹｅｓの場合）が、デジタル音声情報の抽出が不可と判断されたため（ステップＳ．６においてＮｏの場合）、ステップＳ．７において、表示部７にＨＤアイコン７ａを点滅表示させると共に、周波数情報７ｂを表示させ、他の情報が表示されない状態を示している。
【００５２】
図４に示すＣ区間は、Ｂ区間に示す状況から受信電波状況が少し改善されて、デジタル放送を受信することができ、さらに、デジタル音声情報を抽出することができる状態へと電波状況が変化した状態を示している。
【００５３】
Ｃ区間の状態では、デジタル放送を受信することは可能であるため、デジタル信号受信情報により判断されるデジタル信号の受信状況は「有」の状態となる。また、Ｃ区間では、デジタル音声情報の抽出を行うことが可能であるため、デジタル音声抽出情報により判断されるデジタル音声情報の抽出状況は「有」の状態となる。さらに、ＨＤアイコン７ａの表示は、デジタル放送が受信可能であると共に、デジタル音声情報の抽出が可能であるため、点滅表示状態から点灯表示状態へと変化する。さらに、デジタル音声情報を抽出することが可能であるため、スピーカ４から出力されるオーディオ信号は「デジタル（デジタル放送に基づくオーディオ信号）」となる。
【００５４】
このＣ区間の状態は、上述した図３のフローチャートにおいて、デジタル放送が受信できると判断され（ステップＳ．２においてＹｅｓの場合）、さらに、デジタル音声情報の抽出が可能と判断されたため（ステップＳ．６においてＹｅｓの場合）、ステップＳ．９において、表示部７にＨＤアイコン７ａを点灯表示させると共に、周波数情報７ｂと全てのテキスト情報を表示させた状態を示している。
【００５５】
図４に示すＤ区間は、Ｃ区間に示す状況から受信電波状況が少し悪化して、Ｂ区間に示す状況と同じ状況に変化した場合を示している。Ｂ区間の状態では、デジタル放送を受信することは可能であるため、デジタル信号の受信状況が「有」の状態となり、デジタル音声情報の抽出ができない状況であるため、デジタル音声情報の抽出状況が「無」の状態となる。ＨＤアイコン７ａの表示は、デジタル放送が受信可能である一方で、デジタル音声情報の抽出が不可能であるため点滅表示状態となり、また、デジタル音声情報を抽出することができないことから、スピーカ４から出力されるオーディオ信号は「アナログ」となる。
【００５６】
このＤ区間の状態は、上述した図３のフローチャートにおいて、デジタル放送が受信できると判断された（ステップＳ．２においてＹｅｓの場合）が、デジタル音声情報の抽出が不可と判断されたため（ステップＳ．６においてＮｏの場合）、ステップＳ．７において、表示部７にＨＤアイコン７ａを点滅表示させると共に、周波数情報７ｂを表示させ、他の情報が表示されない状態を示している。
【００５７】
図４に示すＥ区間は、Ｄ区間に示す状況から受信電波状況が少し悪化して、Ａ区間に示す状況と同じ状況に変化した場合を示している。Ｅ区間の状態では、アナログ放送だけ受信され、デジタル放送が受信できないため、デジタル信号の受信状況が「無」の状態となり、デジタル音声情報が抽出できないためデジタル音声情報の抽出状況が「無」の状態となる。さらに、デジタル放送を受信できないため、ＨＤアイコン７ａが消灯表示状態となり、スピーカ４から出力されるオーディオ信号も「アナログ」となる。
【００５８】
このＥ区間の状態は、上述した図３のフローチャートにおいて、デジタル放送が受信できないと判断され（ステップＳ．２においてＮｏの場合）、表示部７に周波数情報７ｂのみが表示され、他の情報が表示されない状態（ステップＳ．３）を示している。
【００５９】
このように、本実施の形態に係る車載用オーディオ装置１を用いる場合には、ＨＤアイコン７ａの表示状態によって、アナログ放送のみが受信されている状況であるか、デジタル放送が受信可能な状態であって、デジタル音声情報を抽出することができない状況であるか、デジタル音声情報を抽出することができる状況であるかを容易に判断することができる。
【００６０】
さらに、テキスト情報が表示される場合には、必ずスピーカ４より出力されるオーディオ信号がデジタル音声情報に基づくオーディオ信号となるため、ユーザは表示部７にテキスト情報が表示されているか否かにより、スピーカ４より出力される音楽がデジタル放送に基づくものであるかアナログ放送に基づくものであるかを確実かつ容易に判断することが可能となる。
【００６１】
例えば、電波状況の変化に応じてそれまでデジタル信号が受信され、デジタル信号に基づいてデジタル音声情報の抽出が可能であった状態から、デジタル信号は受信できているが、デジタル音声情報の抽出が困難な状態へと受信電波状況が変化した場合には、表示部７に表示されていたテキスト情報が表示されなくなり、周波数情報７ｂだけが表示され、さらに、ＨＤアイコン７ａが点滅した状態となる。このように表示状態が変化した場合には、デジタル信号からデジタル音声情報の抽出ができないため、スピーカ４から出力される音楽（オーディオ信号）がアナログ放送に基づくオーディオ信号となる。ユーザは、表示部７の表示情報が周波数情報７ｂだけになり、ＨＤアイコン７ａが点滅していることから、スピーカ４から出力される音楽が、アナログ放送に基づくものであると、確実かつ容易に判断することができる。
【００６２】
さらに、ＨＤアイコン７ａすら消灯してしまった場合、ユーザは、全くデジタル放送を受信できない状況になったことを、視覚的に判断することが可能となる。
【００６３】
一方で、ＨＤアイコン７ａが消灯された状態であって、アナログ放送しか受信できない（デジタル放送を受信することができない）ために、表示部７に周波数情報７ｂしか表示されていない状況から、ＨＤアイコン７ａが点滅される状態に表示部７の表示内容が変化した場合、ユーザは、デジタル放送の受信可能なエリアに入ったか、またデジタル信号に基づいてデジタル音声情報を抽出することができない状況であることを容易に判断することができる。このため、スピーカ４より出力される音楽はアナログ放送に基づくオーディオ信号であるが、受信電波状況の改善によりデジタル放送に基づくオーディオ信号が出力される可能性の高いことを理解することができる。
【００６４】
そして、デジタル放送を受信することが可能な場合には、表示部７に表示されたＨＤアイコン７ａが点灯状態となり、周波数情報７ｂ、放送局名情報７ｃ、音楽ジャンル情報７ｄ、マルチキャスト情報７ｅ、アーティスト情報７ｆ、タイトル情報７ｇが表示部７に表示されることから、スピーカ４より出力される音楽が、デジタル放送に基づくものであると、容易に把握することができる。
【００６５】
以上、本発明に係るＨＤラジオ装置の一例として、車載用オーディオ装置１を示して説明を行ったが、本発明に係るＨＤラジオ装置は、上述した車載用オーディオ装置１のみには限定されるものではない。当業者であれば、特許請求の範囲に記載された範疇内において、各種の変更例または修正例に想到し得ることは明らかであり、それらについても当然に本発明の技術的範囲に属するものと了解される。
【００６６】
例えば、本実施の形態に係る車載用オーディオ装置１では、デジタル放送からデジタル音声情報を抽出可能であるか否かの情報として、デジタル音声抽出情報をチューナー部２ｂから制御部５へ出力し、さらに、デジタル放送から抽出された放送局名情報などの情報をテキスト情報としてチューナー部２ｂから制御部５へ出力する構成について説明を行った。
【００６７】
しかしながら、デジタル音声抽出情報とテキスト情報とは必ずしも別々の情報にしなければならないという訳ではなく、デジタル音声抽出情報にテキスト情報に該当する情報を含めることによって、デジタル音声抽出情報からテキスト情報に該当する情報を読み取ることができる場合には、デジタル音声情報の抽出が可能な状況であると判断し、テキスト情報に該当する情報を読み取ることができない場合には、デジタル音声情報の抽出が不可能な状況であると判断する構成にしてもよい。このような処理内容とすることにより、テキスト情報の取得処理およびＲＡＭ５ｃに対する記録処理（図３に示すステップＳ．４）や、ＲＡＭ５ｃからテキスト情報を読み出す処理（図３に示すステップＳ．８）を省略することが可能となり、処理の簡略化を図ることが可能となる。
【００６８】
さらに、本実施の形態に係る車載用オーディオ装置１では、デジタル信号受信情報と、デジタル音声抽出情報と、テキスト情報とをそれぞれ別々の情報として説明したが、全ての情報を含む１種類の情報をチューナー部２ｂから制御部５へ出力することにより、一度の情報取得処理により、全ての判断処理（図３に示すステップＳ．２およびステップＳ．６）に必要な判断情報と、表示部７の表示処理（図３に示すステップＳ．３、ステップＳ．７およびステップＳ．９）に必要な表示情報（テキスト情報）とを取得するような構成とすることも可能である。
【００６９】
また、本実施の形態に係る車載用オーディオ装置１では、デジタル信号受信情報に基づいてデジタル情報を受信できた（ステップＳ．２においてＹｅｓの場合）後すぐに、テキスト情報を取得する処理を行い、そのテキスト情報をＲＡＭ５ｃに一時的に記録させる（ステップＳ．４）構成について説明を行ったが、デジタル音声抽出情報に基づいてデジタル音声情報をデジタル信号から抽出できた場合（ステップＳ．６においてＹｅｓの場合）に、デジタル情報を受信して、受信したデジタル情報を、表示部７に表示させる（ステップＳ．９に該当する処理）構成とすることも可能である。このような処理内容とすることにより、テキスト情報を取得してＲＡＭ５ｃに記録する処理（ステップＳ．４）と、ＲＡＭ５ｃからテキスト情報を読み出す処理（ステップＳ．８）との２つの処理を、デジタル音声情報をデジタル信号から抽出できた場合（ステップＳ．６においてＹｅｓの場合）にデジタル情報を受信する１つの処理にまとめることができ、処理の簡略化を図ることが可能となる。
【符号の説明】
【００７０】
１     …車載用オーディオ装置（ＨＤラジオ装置）
２     …ＨＤモジュール部
２ａ   …アンテナ
２ｂ   …チューナー部（放送判断手段、デジタル音声抽出判断手段、テキスト情報抽出手段）
３     …信号処理部
４     …スピーカ
５     …制御部（表示制御手段）
５ａ   …ＣＰＵ
５ｂ   …ＲＯＭ
５ｃ   …ＲＡＭ
６     …ユーザ入力部
６ａ   …選択ボタン
６ｂ   …操作ツマミ
７     …表示部（表示手段）
７ａ   …ＨＤアイコン（所定マーク）
７ｂ   …周波数情報
７ｃ   …放送局名情報（テキスト情報）
７ｄ   …音楽ジャンル情報（テキスト情報）
７ｅ   …マルチキャスト情報（テキスト情報）
７ｆ   …アーティスト情報（テキスト情報）
７ｇ   …タイトル情報（テキスト情報）
１０   …本体部
【図１】
2012028909.tif 000003
【図２】
2012028909.tif 000004
【図３】
2012028909.tif 000005
【図４】
2012028909.tif 000006